(57)【要約】【課題】水を溜まりにくくすることができると共に、凹みにくくすることができる折板構造及び取付方法を提供する。【解決手段】一形態に係る折板構造は、凹部１１及び凸部１２が連続する波形鋼板１０と、少なくとも３つの凸部１２を架け渡す板状部材２０と、を備えた折板構造１である。板状部材２０は、板状部材２０の下面２２が凸部１２に設けられた支持部３０の上面に対向した状態で支持部３０に支持されており、支持部３０は、凹部１１及び凸部１２が連続する連続方向Ｄの両端側に位置する第１支持部３１と、連続方向Ｄにおける複数の第１支持部３１の間に位置する第２支持部３２と、を含んでおり、第２支持部３２の上面の高さは、第１支持部３１の上面の高さよりも高い。【選択図】図２
2018188912.tif 000002
【特許請求の範囲】
【請求項１】
凹部及び凸部が連続する波形鋼板と、少なくとも３つの前記凸部を架け渡す板状部材と、
を備えた折板構造であって、
前記凸部に設けられた支持部を備え、
前記板状部材は、前記板状部材の下面が前記支持部の上面に対向した状態で前記支持部に支持されており、
前記支持部は、前記凹部及び前記凸部が連続する連続方向の両端側に位置する第１支持部と、前記連続方向における複数の前記第１支持部の間に位置する第２支持部と、を含んでおり、
前記第２支持部の上面の高さは、前記第１支持部の上面の高さよりも高い、
折板構造。
【請求項２】
前記板状部材は、弾性変形によって曲げられた状態で前記第１支持部及び前記第２支持部に支持されている、
請求項１に記載の折板構造。
【請求項３】
前記第２支持部は、前記波形鋼板に対して別部材とされており、
前記第２支持部は、前記板状部材の下面が対向すると共に上方に突出する突部と、前記突部の下端から斜め下方に延在すると共に前記波形鋼板に接触する一対の傾斜延在部と、を有する、
請求項１又は２に記載の折板構造。
【請求項４】
凹部及び凸部が連続する波形鋼板の少なくとも３つの前記凸部に板状部材を掛け渡し、前記凸部に設けられた支持部に前記板状部材を取り付ける取付方法であって、
前記支持部は、前記凹部及び前記凸部が連続する連続方向の両端側に位置する第１支持部と、前記連続方向における複数の前記第１支持部の間に位置する第２支持部と、を含み、
前記第２支持部の上面の高さは、前記第１支持部の上面の高さよりも高く、
前記板状部材の下面を前記第１支持部の上面、及び前記第２支持部の上面に対向させて、前記第１支持部及び前記第２支持部に前記板状部材を取り付ける工程を備える、
取付方法。
【請求項５】
前記板状部材を取り付ける工程では、前記板状部材を弾性変形させて曲げた状態として前記板状部材を前記第１支持部及び前記第２支持部に取り付ける、
請求項４に記載の取付方法。
【発明の詳細な説明】
【技術分野】
【０００１】
本発明は、凹部及び凸部が連続する波形鋼板を備えた折板構造、及び、波形鋼板に板状部材を取り付ける取付方法に関する。
【背景技術】
【０００２】
折板構造については従来から種々のものが知られている。特開２００４−２８５８１０号公報には、折板屋根が記載されている。この折板屋根は、凹部及び凸部を有する折板と、折板の複数の凸部の上に掛け渡される平葺き下地補強材及び平葺き鉄板と、を備える。折板には、換気口又はトップライト等の突起物が設けられる。
【０００３】
また、前述の公報には、折板の凹部に配置された集水シート筒、連結筒及び排水口と、集水シート筒、連結筒及び排水口の上方で複数の凸部の上に掛け渡される箱カバーと、を備えた水上部雨仕舞い装置が記載されている。この水上部雨仕舞い装置では、折板が勾配を有し、折板の凹部を流れる雨水等が集水シート筒及び連結筒を通って排水口から流れ出ることにより、雨水等を排出している。
【先行技術文献】
【特許文献】
【０００４】
【特許文献１】特開２００４−２８５８１０号公報
【発明の概要】
【発明が解決しようとする課題】
【０００５】
前述した折板屋根では、折板に形成された複数の凸部の上に掛け渡される平葺き鉄板が設けられており、水上部雨仕舞い装置では、当該複数の凸部の上に掛け渡される箱カバーが設けられている。この平葺き鉄板及び箱カバーは、いずれも水平方向に延びる平板部材とされている。従って、当該平板部材が作業員等によって踏まれたり、当該平板部材に重量物が載置された場合には、折板の凹部に対向する位置において平板部材が凹むことが懸念される。平板部材が凹んだ場合には、この凹んだ部分に雨水等が溜まる問題が発生しうる。
【０００６】
本発明は、水を溜まりにくくすることができると共に、凹みにくくすることができる折板構造及び取付方法を提供することを目的とする。
【課題を解決するための手段】
【０００７】
本発明に係る折板構造は、凹部及び凸部が連続する波形鋼板と、少なくとも３つの凸部を架け渡す板状部材と、を備えた折板構造であって、凸部に設けられた支持部を備え、板状部材は、板状部材の下面が支持部の上面に対向した状態で支持部に支持されており、支持部は、凹部及び凸部が連続する連続方向の両端側に位置する第１支持部と、連続方向における複数の第１支持部の間に位置する第２支持部と、を含んでおり、第２支持部の上面の高さは、第１支持部の上面の高さよりも高い。
【０００８】
この折板構造では、少なくとも３つの凸部を架け渡す板状部材が、当該凸部の上方で第１支持部及び第２支持部によって支持される。板状部材の下面は、凹部及び凸部の連続方向の両端側に位置する第１支持部の上面と、当該連続方向における複数の第１支持部の間に位置する第２支持部の上面とに対向し、第２支持部の上面の高さは第１支持部の上面の高さよりも高い。よって、板状部材の下面は、両端側の第１支持部から中央側の第２支持部に向かうに従って上方に曲線状に湾曲する。従って、板状部材の下面が中央側に向かうに従って上方に湾曲することにより、板状部材の面外剛性を高めることができるので、板状部材が踏まれたりしたときに板状部材が凹むのを抑制することができる。よって、凹んだ部分を生じにくくすることができるので、板状部材の上に水を溜まりにくくすることができる。
【０００９】
また、板状部材は、弾性変形によって曲げられた状態で第１支持部及び第２支持部に支持されていてもよい。この場合、弾性変形によって曲げられた状態で第１支持部及び第２支持部に板状部材が支持される。従って、厚さが均一の平板部材を弾性変形で折り曲げることにより、中央側に向かうに従って上方に湾曲する板状部材を形成することができる。よって、板状部材として平板部材を用いても前述と同様の効果を得ることができるので、構成が簡易な平板部材を用いることができると共に、板状部材にかかるコストを抑えることができる。
【００１０】
また、第２支持部は、波形鋼板に対して別部材とされており、第２支持部は、板状部材の下面が対向すると共に上方に突出する突部と、突部の下端から斜め下方に延在すると共に波形鋼板に接触する一対の傾斜延在部と、を有してもよい。このように第２支持部を突部及び一対の傾斜延在部を備える構成とすることにより、第２支持部の構成を簡易にすることができる。従って、簡易な構成の第２支持部を波形鋼板に取り付けることにより、板状部材を支持する構成を容易に設けることができると共に、第２支持部にかかるコストを抑えることが可能となる。
【００１１】
本発明に係る取付方法は、凹部及び凸部が連続する波形鋼板の少なくとも３つの凸部に板状部材を掛け渡し、凸部に設けられた支持部に板状部材を取り付ける取付方法であって、支持部は、凹部及び凸部が連続する連続方向の両端側に位置する第１支持部と、連続方向における複数の第１支持部の間に位置する第２支持部と、を含み、第２支持部の上面の高さは、第１支持部の上面の高さよりも高く、板状部材の下面を第１支持部の上面、及び第２支持部の上面に対向させて、第１支持部及び第２支持部に板状部材を取り付ける工程を備える。
【００１２】
この取付方法では、少なくとも３つの凸部の上に板状部材を掛け渡し、板状部材を当該凸部の上方で第１支持部及び第２支持部に取り付ける。このとき、板状部材の下面を、凹部及び凸部の連続方向の両端側に位置する第１支持部の上面と、当該連続方向における複数の第１支持部の間に位置する第２支持部の上面とに対向させる。また、第２支持部の上面の高さは第１支持部の上面の高さよりも高い。よって、板状部材の下面は、両端側の第１支持部から中央側の第２支持部に向かうに従って上方に湾曲するので、板状部材の面外剛性を高めることができる。従って、板状部材が踏まれたりしたときに板状部材の凹みを抑制することができる。よって、凹んだ部分を生じにくくすることができるので、板状部材の上に水を溜まりにくくすることができる。
【００１３】
また、板状部材を取り付ける工程では、板状部材を弾性変形させて曲げた状態として板状部材を第１支持部及び第２支持部に取り付けてもよい。この場合、弾性変形によって板状部材を曲げた状態として板状部材を第１支持部及び第２支持部に支持する。従って、厚さが均一の平板部材を弾性変形で曲げることにより、中央側が盛り上がった板状部材とすることができる。よって、板状部材として構成が簡易な平板部材を用いることができると共に、板状部材にかかるコストを抑えることができる。
【発明の効果】
【００１４】
本発明によれば、水を溜まりにくくすることができると共に、凹みにくくすることができる。
【図面の簡単な説明】
【００１５】
【図１】実施形態に係る折板構造を示す断面斜視図である。
【図２】図１の折板構造の横断面図である。
【図３】図１の折板構造の第２支持部を拡大した断面図である。
【発明を実施するための形態】
【００１６】
以下では、図面を参照しながら本発明に係る折板構造及び取付方法の実施形態について説明する。図面の説明において、同一又は相当する要素には同一の符号を付し、重複する説明を適宜省略する。
【００１７】
図１に示されるように、本実施形態に係る折板構造１は、凹部１１及び凸部１２が連続する波形鋼板１０と、波形鋼板１０の上部に取り付けられた板状部材２０とを備える。折板構造１は折板屋根である。板状部材２０は例えばルーフファンの排気口を備えた煙突等の水上側に設けられるが、板状部材２０は種々の場所に設置することが可能である。
【００１８】
本実施形態において、波形鋼板１０は、凹部１１と凸部１２とを交互に繰り返すシングル折板であり、凹部１１と凸部１２とは、傾斜部１３を介して連続している。波形鋼板１０は、一例として、ルーフデッキであり、波形鋼板１０としてはガルバリウム鋼板（登録商標）を用いることが可能である。
【００１９】
板状部材２０は、波形鋼板１０の凸部１２に設けられた支持部３０によって波形鋼板１０の上方に支持されている。板状部材２０は、例えば、厚さが均一とされた耐火野地板である下板と平板部材２３とを含んでおり、光を透過させない不透明の部材によって構成されている。板状部材２０は、凹部１１及び凸部１２が連続する連続方向Ｄにおける中央側が盛り上がるように支持されている。平板部材２３、並びに、下板の上面２１及び下面２２は、連続方向Ｄの中央に向かうに従って、上方に湾曲している。例えば、板状部材２０は、円弧状に湾曲している。
【００２０】
平板部材２３は、下板の上面２１に設けられると共に、支持部３０を包囲している。平板部材２３は、支持部３０を上方及び側方から包囲する板状とされており、例えばガルバリウム鋼板（登録商標）である。平板部材２３の連続方向Ｄの端部は、傾斜部１３に沿って斜め下方に延びると共に、ビスＰ１によって下板の側方に固定されている。更に、板状部材２０の連続方向Ｄの端部には、平板部材２３と下板との間に介在する板状の折板繋ぎが設けられていてもよい。
【００２１】
図２は、折板構造１の横断面図である。図２に示されるように、支持部３０は、連続方向Ｄの両端のそれぞれに設けられた一対の第１支持部３１と、連続方向Ｄにおける一対の第１支持部３１の間に設けられた第２支持部３２とを含んでいる。本実施形態では、板状部材２０が４つの凸部１２を架け渡すと共に、連続方向Ｄの両端に位置する２つの第１支持部３１の間に、２つの第２支持部３２が設けられている。
【００２２】
例えば、第１支持部３１は、板状部材２０の連続方向Ｄの端部を凸部１２に固定するハゼ金具であってもよい。第１支持部３１は、波形鋼板１０に対して別部材とされている。一例として、第１支持部３１は、板状部材２０の下板を第１支持部３１に固定させるシーリング材付きのボルトＢ１が挿入される内部空間Ｓ１を備えたボルト収容部を有し、ボルト収容部にはボルトＢ１が上からねじ込まれる。
【００２３】
板状部材２０は、第１支持部３１のボルト収容部の上面に下面２２が接触した状態とされている。そして、上から板状部材２０の下板にねじ込まれ板状部材２０を上下に貫通するボルトＢ１と、平板部材２３及び下板を上下に貫通するボルトＢ２とが第１支持部３１にねじ込まれることによって、板状部材２０が第１支持部３１に固定される。
【００２４】
図２及び図３に示されるように、第２支持部３２は、上方に矩形状に突出する突部３２ａと、突部３２ａの下端から斜め下方に傾斜して延びる一対の傾斜延在部３２ｂとを有する。第２支持部３２は、波形鋼板１０に対して別部材とされており、例えば、全体としてハット型とされている。第２支持部３２の上面の高さは、第１支持部３１の上面の高さよりも高い。なお、本明細書において、「支持部の上面の高さ」とは、設置された支持部の上面の高さ、すなわち、支持部の上端の最終設置位置を示している。
【００２５】
具体的には、突部３２ａの高さは、前述した第１支持部３１のボルト収容部の高さよりも高い。突部３２ａは、上方から板状部材２０の下面２２が接触する天面部３２ｃと、天面部３２ｃの連続方向Ｄの両端から下方に直角に折り曲げられた側面部３２ｄと、を有する。
【００２６】
天面部３２ｃは、例えば、平坦状とされている。天面部３２ｃには、板状部材２０を固定させるシーリング材付きのボルトＢ３をねじ込む。天面部３２ｃ及び一対の側面部３２ｄを有する突部３２ａと、波形鋼板１０の凸部１２と、の間には、ボルトＢ３が挿入される内部空間Ｓ２が形成される。
【００２７】
板状部材２０は、突部３２ａの上面に下面２２が接触した状態とされている。また、上からねじ込まれ板状部材２０の下板を上下に貫通するボルトＢ３と、平板部材２３及び下板を上下に貫通するボルトＢ４とが天面部３２ｃにねじ込まれることによって、板状部材２０が第２支持部３２に支持される。
【００２８】
傾斜延在部３２ｂは、突部３２ａの下端且つ連続方向Ｄの両端のそれぞれから斜め下方に延在している。傾斜延在部３２ｂの傾斜角度は、例えば、波形鋼板１０の傾斜部１３の傾斜角度と同一である。各傾斜部１３に各傾斜延在部３２ｂが接触した状態で外側からパッキン付きのビスＰ２が傾斜延在部３２ｂ及び傾斜部１３にねじ込まれることにより、傾斜延在部３２ｂが波形鋼板１０に固定される。
【００２９】
次に、波形鋼板１０に板状部材２０を取り付ける取付方法について説明する。まず、図２に示されるように、厚さが均一とされた平板状の板状部材２０の下板を用意する。そして、第１支持部３１及び第２支持部３２を波形鋼板１０の凸部１２の上に固定させ、連続方向Ｄの一端側（例えば図２の左側）に位置する第１支持部３１に板状部材２０の下板を固定させる。
【００３０】
このとき、第１支持部３１の上面に下面２２を接触させると共に、ボルトＢ１を上から板状部材２０の下板及び第１支持部３１にねじ込むことにより、連続方向Ｄの一端の第１支持部３１に下板を固定する。そして、下板を弾性変形させて下面２２を各第２支持部３２の突部３２ａに接触させると共に、ボルトＢ３を上から下板及び各第２支持部３２にねじ込むことによって各第２支持部３２に下板を固定する。
【００３１】
その後、更に板状部材２０の下板を弾性変形させて連続方向Ｄの他端側（例えば図２の右側）に位置する第１支持部３１に下板を固定させる。具体的には、前述と同様、第１支持部３１の上面に下面２２を接触させてボルトＢ１を上から下板及び第１支持部３１にねじ込むことにより、下板を第１支持部３１に固定する。
【００３２】
その後、平板部材２３を弾性変形させて、板状部材２０の下板、第１支持部３１及び第２支持部３２を上方及び側方から覆う。そして、平板部材２３の連続方向Ｄの両端部分を傾斜部１３に載せると共に平板部材２３をビスＰ１で下板の側方に固定させる。更に、ボルトＢ２を上から平板部材２３、下板及び第１支持部３１にねじ込むと共に、ボルトＢ４を上から平板部材２３、下板及び第２支持部３２にねじ込むことにより、板状部材２０の取り付けが完了する（板状部材を取り付ける工程）。
【００３３】
次に、折板構造１、及び板状部材２０の取付方法から得られる作用効果について説明する。
【００３４】
折板構造１、及び板状部材２０の取付方法では、少なくとも３つ（本実施形態では４つ）の凸部１２を架け渡す板状部材２０が、凸部１２の上方で第１支持部３１及び第２支持部３２によって支持される。板状部材２０の下面２２は、凹部１１及び凸部１２の連続方向Ｄの両端側に位置する第１支持部３１の上面と、連続方向Ｄにおける複数の第１支持部３１の間に位置する第２支持部３２の上面とに対向し、第２支持部３２の上面の高さは第１支持部３１の上面の高さよりも高い。
【００３５】
よって、板状部材２０の下面２２は、両端側の第１支持部３１から中央側の第２支持部３２に向かうに従って上方に曲線状に湾曲する。従って、板状部材２０の下面２２が中央側に向かうに従って上方に湾曲することにより、板状部材２０の面外剛性を高めることができる。よって、板状部材２０の取り付け等を行う作業員に板状部材２０が踏まれることがあっても、板状部材２０が凹むのを抑制することができる。
【００３６】
また、板状部材２０が中央側に向かうに従って上方に湾曲することにより、平板部材２３に、中央側が高くなる勾配を形成することができる。従って、中央側から両端側に向かって雨水等を流すことができるので、板状部材２０の上に水を溜まりにくくすることができる。
【００３７】
また、板状部材２０は、弾性変形によって曲げられた状態で第１支持部３１及び第２支持部３２に支持される。よって、厚さが均一の平板部材を弾性変形で曲げることにより、中央側に向かうに従って上方に湾曲する板状部材２０とすることができる。従って、板状部材２０として平板部材を用いても前述と同様の効果を得ることができるので、板状部材２０として簡易な平板部材を用いることができると共に、板状部材２０にかかるコストを抑えることができる。
【００３８】
また、平板部材２３の連続方向Ｄの端部は、支持部３０の側面に沿うように下方に折り曲げられている。従って、支持部３０の側面に容易に平板部材２３を取り付けることができると共に、支持部３０の側面付近における強度を高めることができる。更に、平板部材２３の連続方向Ｄの端部は、波形鋼板１０の傾斜部１３に沿うように斜め下方に延びている。従って、平板部材２３を傾斜部１３に沿って容易に設置することができる。
【００３９】
また、第２支持部３２は、波形鋼板１０に対して別部材とされており、第２支持部３２は、板状部材２０の下面２２が対向すると共に上方に突出する突部３２ａと、突部３２ａの下端から斜め下方に延在すると共に波形鋼板１０に接触する一対の傾斜延在部３２ｂと、を有する。このように第２支持部３２を突部３２ａ及び一対の傾斜延在部３２ｂを備える構成とすることにより、第２支持部３２の構成を簡易にすることができる。従って、簡易な構成の第２支持部３２を波形鋼板１０に取り付けることにより、板状部材２０を支持する構成を容易に設けることができると共に、第２支持部３２にかかるコストを抑えることが可能となる。
【００４０】
以上、本発明に係る折板構造及び取付方法の実施形態について説明したが、本発明は、前述した実施形態に限定されるものではなく、各請求項に記載した要旨を変更しない範囲で変形し、又は他のものに適用したものであってもよい。すなわち、本発明は、各請求項の要旨を変更しない範囲で種々の変形が可能である。
【００４１】
例えば、前述の実施形態では、波形鋼板１０とは別部材とされた第１支持部３１及び第２支持部３２について説明した。しかしながら、第１支持部及び第２支持部は、波形鋼板１０と一体、又は波形鋼板１０の一部であってもよい。例えば、波形鋼板１０の凸部１２が変形されることにより、第１支持部及び第２支持部が形成されていてもよい。
【００４２】
また、前述の実施形態では、第１支持部３１がハゼ金具である例について説明したが、第１支持部の形状、大きさ、数、材料及び配置態様については適宜変更可能である。第２支持部についても同様である。例えば、第１支持部は、第２支持部３２と同様のハット型とされていてもよい。
【００４３】
また、前述の実施形態では、弾性変形によって曲げられた状態で支持部３０に支持される板状部材２０について説明した。ここで、板状部材は、現場で弾性変形によって曲げられた状態で支持部に支持されてもよいし、現場で塑性変形によって曲げられた状態で支持部に支持されてもよい。板状部材は、折り曲げられた状態で支持部に支持されてもよい。更に、板状部材は、予め（例えば現場に搬送される前に）曲げられていてもよいし、予め折り曲げられていてもよい。
【００４４】
また、前述の実施形態では、平板状であって厚さが均一の平板部材２３と下板とを備えた板状部材２０について説明したが、板状部材の構成、形状、大きさ、材料及び配置態様については適宜変更可能である。例えば、連続方向Ｄの両端側と比較して中央側が厚い板状部材を備えていてもよい。
【００４５】
また、前述の実施形態では、平板部材２３及び下板を備えた板状部材２０について説明したが、下板を省略することも可能である。更に、本発明に係る板状部材は、単一の部材であってもよいし、複数の部材によって構成されていてもよい。すなわち、板状部材は、例えば、平板部材及び下板が一体となったものであってもよい。また、板状部材は、支持部と一体であってもよい。すなわち、支持部は板状部材の一部であってもよい。この場合、波形鋼板に、一体となった板状部材及び支持部を容易に設置することができる。
【００４６】
また、前述の実施形態では、シングル折板である波形鋼板１０について説明したが、本発明に係る波形鋼板は、シングル折板に限定されない。波形鋼板は、内部でグラスウール等の断熱材を挟み込んだ二重折板であってもよく、波形鋼板の形状、大きさ及び材料についても特に限定されない。更に、前述の実施形態では、折板屋根である折板構造１について説明したが、本発明に係る折板構造は、床等、屋根以外の構造にも適用可能である。
【符号の説明】
【００４７】
１…折板構造、１０…波形鋼板、１１…凹部、１２…凸部、１３…傾斜部、２０…板状部材、２１…上面、２２…下面、２３…平板部材、３０…支持部、３１…第１支持部、３２…第２支持部、３２ａ…突部、３２ｂ…傾斜延在部、３２ｃ…天面部、３２ｄ…側面部、Ｂ１，Ｂ２，Ｂ３，Ｂ４…ボルト、Ｄ…連続方向、Ｐ１，Ｐ２…ビス、Ｓ１，Ｓ２…内部空間。
【図１】
2018188912.tif 000003
【図２】
2018188912.tif 000004
【図３】
2018188912.tif 000005